(57)【要約】【課題】風穴からの異物や水等の侵入を極力抑える電動工具の提供。【解決手段】排気口２２は、異物がハウジング２内に侵入しないように、カバー７０で覆われている。カバー７０のねじ穴にねじが螺合することにより、カバー７０はハウジング２に固定されている。ねじを緩めることにより、カバー７０をハウジング２から容易に取り外すことができる。主要壁７１の一部であってねじ穴よりも前方の部分には、主要壁７１を貫通する第１貫通孔７０ｂが形成されている。また、第２貫通孔７０ｃは、カバー７０の一部であって最も前端部寄りの部分と、カバー７０の一部であってハンドルの延出方向における端部と、カバー７０の一部であってハンドルの反延出方向における端部と、に形成されている。【選択図】図４
2013075351.tif 000002
【特許請求の範囲】
【請求項１】
先端工具を駆動するモータと、
該モータを内蔵するハウジングと、を備え、
該ハウジングには該ハウジングの外部と内部とを連通する風穴が形成され、該ハウジングの外部には、該風穴を覆うカバーが設けられ、
該カバーの一部であって、該ハウジング外部と内部とを結ぶ方向において該風穴に対向する部分からずれた部分には、該ハウジング外部と内部とを結ぶ方向において該カバーを貫通する第１貫通孔が形成され、
該カバーの一部には、該ハウジングの外表面に沿った方向に該カバーを貫通する第２貫通孔が形成されていることを特徴とする電動工具。
【請求項２】
該カバーは、該ハウジングに対向するハウジング対向面を有し、
該ハウジング対向面の一部であって該風穴に対向する部分には、該風穴に向かって突出する凸部が設けられ、
該凸部の外面は、該凸部の突出端と該ハウジング対向面とを滑らかに結ぶ曲面からなることを特徴とする請求項１記載の電動工具。
【請求項３】
該ハウジングの外表面の一部であって該風穴の周囲の部分には、該ハウジングの外表面から突出し該風穴を取り囲むように配置された防護壁が設けられていることを特徴とする請求項１又は請求項２記載の電動工具。
【請求項４】
該防護壁は該カバーと一体成形されて構成されていることを特徴とする請求項１乃至請求項３のいずれか一記載の電動工具。
【請求項５】
該防護壁は該ハウジングと一体成形されて構成されていることを特徴とする請求項１乃至請求項３のいずれか一記載の電動工具。
【請求項６】
該モータで駆動されるファンを備え、
該風穴は、該ハウジングの一部であって該ファンの周縁部に対向する部分に形成されていることを特徴とする請求項１乃至請求項５のいずれか一記載の電動工具。
【請求項７】
該ハウジングは、該先端工具を支持する先端部と、該先端部に対する後端部と、該先端部と該後端部とを結ぶ方向と交差する方向へ延出するハンドル部とを有し、
該第２貫通孔は、該カバーの一部であって最も該前端部寄りの部分と、該カバーの一部であって該ハンドル部の延出方向における端部と、該カバーの一部であって該ハンドル部の反延出方向における端部と、に形成されていることを特徴とする請求項１乃至請求項６のいずれか一記載の電動工具。
【請求項８】
該カバーは該ハウジングに対して着脱可能であることを特徴とする請求項１乃至請求項７のいずれか一記載の電動工具。
【発明の詳細な説明】
【技術分野】
【０００１】
本発明は電動工具に関し、特にモータを動力源とする電動工具に関する。
【背景技術】
【０００２】
従来からモータを動力源とする電動工具には、モータ等を冷却するためのファンが設けられており、このモータやファンを内蔵するハウジングには、ハウジング内部に外気を取り入れる吸気口、又はハウジング内気を外部に排出する排気口をなす風穴が形成されている（例えば、特許文献１参照）。
【先行技術文献】
【特許文献】
【０００３】
【特許文献１】特開平０７−２６６２６０号公報
【発明の概要】
【発明が解決しようとする課題】
【０００４】
この風穴は、吸排気の効率から排気口若しくは吸気口のいずれか一方がファン近傍に形成されることがある。しかしながらファン近傍に風穴を形成することにより、風穴からの異物侵入によるファンのロック及び破損やモータのショート等が発生するおそれがあった。また、風穴から雨水等がハウジング内部へ流入することは、モータ等を破損に繋がる。そこで、本発明は、風穴からの異物や水等の侵入を極力抑える電動工具を提供することを目的とする。
【課題を解決するための手段】
【０００５】
上記課題を解決するために本発明は、先端工具を駆動するモータと、該モータを内蔵するハウジングと、を備え、該ハウジングには該ハウジングの外部と内部とを連通する風穴が形成され、該ハウジングの外部には、該風穴を覆うカバーが設けられ、該カバーの一部であって、該ハウジング外部と内部とを結ぶ方向において該風穴に対向する部分からずれた部分には、該ハウジング外部と内部とを結ぶ方向において該カバーを貫通する第１貫通孔が形成され、該カバーの一部には、該ハウジングの外表面に沿った方向に該カバーを貫通する第２貫通孔が形成されている電動工具を提供する。
【０００６】
カバーの一部であって、ハウジング外部と内部とを結ぶ方向において風穴に対向する部分からずれた部分には、ハウジング外部と内部とを結ぶ方向においてカバーを貫通する第１貫通孔が形成され、カバーの一部には、ハウジングの外表面に沿った方向にカバーを貫通する第２貫通孔が形成されているため、カバーの外部から第１貫通孔を通して水や異物が浸入したときに、ハウジングに衝突し、ハウジングの風穴からハウジング内部へ浸入することを防止することができる。その後、水や異物はハウジングの外面に沿って重力により落下し、第２貫通孔からカバー外部へと排出される。また、第１貫通孔と第２貫通孔とが形成されているため、空気が流れる流路面積を十分に確保することができ、空気の流れを阻害することを防止できる。
【０００７】
ここで、該カバーは、該ハウジングに対向するハウジング対向面を有し、該ハウジング対向面の一部であって該風穴に対向する部分には、該風穴に向かって突出する凸部が設けられ、該凸部の外面は、該凸部の突出端と該ハウジング対向面とを滑らかに結ぶ曲面からなることが好ましい。
【０００８】
凸部の外面は、凸部の突出端とハウジング対向面とを滑らかに結ぶ曲面からなるため、風穴がハウジング内部への空気の流入口である場合には、凸部の外面が風穴へ流入する空気をガイドすることができ、風穴がハウジング外部への空気の排出口である場合には、凸部の外面が風穴から流出する空気をガイドすることができる。このため、空気をカバーとハウジングとの間でスムーズに流すことができ、空気がカバーとハウジングとの間で滞ることを防止することができる。
【０００９】
また、該ハウジングの外表面の一部であって該風穴の周囲の部分には、該ハウジングの外表面から突出し該風穴を取り囲むように配置された防護壁が設けられていることが好ましい。
【００１０】
ハウジングの外表面の一部であって風穴の周囲の部分には、ハウジングの外表面から突出し風穴を取り囲むように配置された防護壁が設けられているため、ハウジングの外面に沿って移動する水や異物が風穴に浸入することを、防護壁が阻止することができる。
【００１１】
また、該防護壁は該カバーと一体成形されて構成されていることが好ましい。防護壁はカバーと一体成形されて構成されているため、防護壁に係る部品点数の増加を防ぐことができる。
【００１２】
また、該防護壁は該ハウジングと一体成形されて構成されていることが好ましい。防護壁はハウジングと一体成形されて構成されているため、強度の高い防護壁とすることができる。また、カバーに防護壁を一体成形する場合と比較して、成形を容易とすることができる。
【００１３】
また、該モータで駆動されるファンを備え、該風穴は、該ハウジングの一部であって該ファンの周縁部に対向する部分に形成されていることが好ましい。
【００１４】
風穴は、ハウジングの一部であってファンの周縁部に対向する部分に形成されているため、カバーによって風穴から異物が侵入し、当該異物がファンの回転を阻害することを防止できる。このため、ＪＩＳ  Ｃ  ０９２０に定められるＩＰ規格を満たす電動工具とすることができる。
【００１５】
また、該ハウジングは、該先端工具を支持する先端部と、該先端部に対する後端部と、該先端部と該後端部とを結ぶ方向と交差する方向へ延出するハンドル部とを有し、該第２貫通孔は、該カバーの一部であって最も該前端部寄りの部分と、該カバーの一部であって該ハンドル部の延出方向における端部と、該カバーの一部であって該ハンドル部の反延出方向における端部と、に形成されていることが好ましい。
【００１６】
第２貫通孔は、カバーの一部であって最も前端部寄りの部分と、カバーの一部であってハンドル部の延出方向における端部と、カバーの一部であってハンドル部の反延出方向における端部と、に形成されているため、先端工具によりねじ締等の作業を行っているときに、第１貫通孔から第２貫通孔へと向かう方向を重量の方向に略一致させることができ、第１貫通孔からカバーとハウジングとの間に流入した雨水や異物を第２貫通孔から容易に排出することができる。
【００１７】
また、該カバーは該ハウジングに対して着脱可能であることが好ましい。カバーはハウジングに対して着脱可能であるため、異物がハウジングとカバーとの間に留まった場合であってもカバーをハウジングから取り外すことにより、容易に異物を取り除くことができる。
【発明の効果】
【００１８】
本発明の電動工具によれば、風穴からの異物や水等の侵入を極力抑えることができる。
【図面の簡単な説明】
【００１９】
【図１】本発明の実施の形態に係る電動工具を示す断面図。
【図２】本発明の実施の形態による電動工具を示す要部側面図。
【図３】本発明の実施の形態に係る電動工具のカバーを示す斜視図。
【図４】図２のＩＶ−ＩＶ線に沿った断面図。
【図５】図２のＶ−Ｖ線に沿った断面図。
【図６】本発明の実施の形態に係る電動工具の第１の変形例を示す要部断面図。
【図７】本発明の実施の形態による電動工具の第３の変形例を示す要部側面図。
【図８】本発明の実施の形態による電動工具の第３の変形例を示す要部断面図。
【図９】本発明の実施の形態に係る電動工具の第２の変形例を示す要部断面図。
【発明を実施するための形態】
【００２０】
本発明の実施の形態による電動工具を図１乃至図５に基づき説明する。図１に示される電動工具たるインパクトドライバ１は、ビットやソケット等の先端工具により、ボルトやナット、ねじを締結する工具であり、主として、ハウジング２と、モータ３と、ギヤ機構４と、インパクト機構５と、から構成され、充電式の電池６を電源として駆動する。
【００２１】
ハウジング２は、６ナイロンから構成されている樹脂ハウジングであり、モータ３等が収容される胴体部２Ａと、胴体部２Ａから延出されるハンドル２Ｂとを有している。胴体部２Ａ及びハンドル２Ｂ内部には収容空間が画成されている。ハウジング２は、後述の上下方向及び前後方向に延びる平面で二分割され略対称な分割ハウジングで構成されている。収容空間において胴体部２Ａ内に該当する箇所には、上述のモータ３とギヤ機構４とインパクト機構５とが同軸上に一端側から他端側に向かって並んで配置されている。このモータ３とギヤ機構４とインパクト機構５とが並んでいる軸方向においてモータ３側を後側インパクト機構５側を前側として前後方向と定義する。また前後方向と直交する方向であって胴体部２Ａからハンドル２Ｂが延出される方向を下方向とし、その逆の方向を上方向として上下方向を定義する。
【００２２】
胴体部２Ａは、モータ３の外形に沿うように略円筒状に構成されており、胴体部２Ａにおいて、モータ３の前後位置かつ胴体部２Ａの左右側面位置には、図２に示すように、それぞれ風穴である吸気口２１、排気口２２（図４）が形成されている。吸気口２１は、胴体部２Ａにおいてモータ３の後方位置に形成されており、異物がハウジング２内に侵入しないように吸気側格子部２１Ａで覆われている。吸気側格子部２１Ａは、胴体部２Ａ表面において長手方向が上下方向及び前後方向と略４５°で交差する複数の長尺材が互いに平行かつ等間隔に配置されてハウジング２と一体に構成されている。
【００２３】
排気口２２は、胴体部２Ａにおいて後述のファン３２Ｂ近傍であって、ファン３２Ｂの半径方向においてファン３２Ｂ最外周部分と対向する位置に形成されており、異物がハウジング２内に侵入しないように、カバー７０で覆われている。
【００２４】
なお、図２においてカバー７０は１つのみ図示されているが、胴体部２Ａの図２に示す側とは反対の側にも図示せぬカバーが設けられている。図示せぬカバーとカバー７０とは鏡面対称形状をなしており、カバー７０のみ説明し、図示せぬカバーについては説明を省略する。
【００２５】
カバー７０は、図３に示すように、主要壁７１と、上側壁７２と、下側壁７３と、前側壁７４と、後側壁７５とを有しており、主要壁７１は、上下方向における長さが後端部において最も広く、前方へ向かって徐所に狭くなっている。主要壁７１の一部であって前後方向における略中央部の上下端部には、ねじ穴７０ａが形成されている。ねじ穴７０ａにねじ７０Ａ（図２）が螺合することにより、カバー７０はハウジング２に固定されている。ねじ７０Ａを緩めることにより、カバー７０をハウジング２から容易に取り外すことができる。
【００２６】
主要壁７１の一部であって当該ねじ穴７０ａよりも前方の部分には、主要壁７１を貫通する第１貫通孔７０ｂが形成されている。第１貫通孔７０ｂは、上下方向に対して略３０°の角度をなして延出する複数の長穴からなり、上下方向に３列に並んで形成され、中央の列の６つの長穴が最も長手方向の長さが長く形成されている。下の列の長穴は６つ形成されており、上の列の長穴は５つ形成されている。また、第１貫通孔７０ｂは、主要壁７１の後端部にも、主要壁７１の後端縁に沿って３つ形成されている。主要壁７１の一部であって、主要壁７１の前部に形成された複数の第１貫通孔７０ｂと主要壁７１の後部に形成された複数の第１貫通孔７０ｂとの間の部分７０Ｂは、排気口２２に対向している。
【００２７】
後側壁７５は、主要壁７１からハウジング２へ向かって延出してハウジング２に当接しており、主要壁７１の後端縁に沿って当該後端縁の上端から下端に至るまで設けられている。前側壁７４は、主要壁７１からハウジング２へ向かって延出してハウジング２に当接しており、主要壁７１の前端縁に沿って当該前端縁の上下方向における中央部分に設けられている。上側壁７２は、主要壁７１からハウジング２へ向かって延出してハウジング２に当接しており、主要壁７１の上端縁に沿って、ねじ穴７０ａよりも前側に形成された複数の第１貫通孔７０ｂに対向する部分に設けられている。下側壁７３は、主要壁７１からハウジング２へ向かって延出してハウジング２に当接しており、主要壁７１の下端縁に沿って、ねじ穴７０ａよりも前側に形成された複数の第１貫通孔７０ｂに対向する部分に設けられている。
【００２８】
主要壁７１の前端縁と下端縁とが接続されている部分には、下側壁７３、前側壁７４は設けられていない。同様に、主要壁７１の前端縁と上端縁とが接続されている部分には、上側壁７２、前側壁７４は設けられていない。また、主要壁７１の上端縁においてねじ穴７０ａから後側壁７５が設けられている部分までの間の部分には上側壁７２は設けられていない。同様に主要壁７１の下端縁においてねじ穴７０ａから後側壁７５が設けられている部分までの間の部分には下側壁７３は設けられていない。この構成により、これらの部分は、カバー７０とハウジング２の外表面とにより囲まれる空間の内部と外部とを連通する第２貫通孔７０ｃが画成されている。
【００２９】
より詳細には、主要壁７１の前端縁において下端縁と接続されている部分、主要壁７１の下端縁において前端縁と接続されている部分には、１つの第２貫通孔７０ｃが形成されており、主要壁７１の前端縁において上端縁と接続されている部分、主要壁７１の上端縁において前端縁と接続されている部分には、１つの第２貫通孔７０ｃが形成されている。また、主要壁７１の上端縁において上側壁７２と後側壁７５との間の部分には、１つの第２貫通孔７０ｃが形成されており、主要壁７１の下端縁において下側壁７３と後側壁７５との間の部分には、１つの第２貫通孔７０ｃが形成されている。即ち、第２貫通孔７０ｃは、主要壁７１と前側壁７４と下側壁７３とハウジング２の外面とにより画成され、また、主要壁７１と前側壁７４と上側壁７２とハウジング２の外面とにより画成され、また、主要壁７１と後側壁７５と下側壁７３とハウジング２の外面とにより画成され、また、主要壁７１と後側壁７５と上側壁７２とハウジング２の外面とにより画成されている。第１貫通孔７０ｂ、第２貫通孔７０ｃの形成されている位置、大きさは、ＪＩＳ  Ｃ  ０９２０に定められるＩＰ(International Protection)規格のＩＰ４Ｘに基づき、それぞれφ１．０のピンＰを、第１貫通孔７０ｂ、第２貫通孔７０ｃと排気口２２とを通してハウジング２内部へ挿入不能となる程度である。
【００３０】
図１に示すように、ハウジング２において、ハンドル２Ｂの下端位置には、電池６が装着されて電気的に接続される端子部２４が配置されている。端子部２４の上部にはモータ３の回転を制御する制御回路部１００が配置されている。ハンドル２Ｂの根元部分には、作業者が操作するトリガ２６Ａが設けられると共に、トリガ２６Ａ及び制御回路部１００に接続されモータ３への導通を制御するスイッチ部２６Ｂが設けられている。またハンドル２Ｂの根元であってトリガ２６Ａの上方には、モータ３の回転方向を切り替える図示せぬ正逆切換レバーが設けられている。ハウジング２において前端であってインパクト機構５の下方には、制御回路部１００に接続され前側に向けて照射するＬＥＤライト２７が設けられている。またハウジング２内には、モータ３周囲であって吸気口２１から排気口２２に跨る冷却通路２ｃが形成されている。
【００３１】
モータ３は、ＤＣブラシレスモータであり、ステータ３１と、ロータ３２と、モータ駆動回路装置３３とを主に備えている。ステータ３１は、筒状に構成されてモータ３の外殻をなし、外周面がハウジング２に保持されている。
【００３２】
ロータ３２は、ステータ３１内に回転可能に配置され、その回転軸位置に前後方向に延びるロータシャフト３２Ａが同軸一体回転するように設けられている。ロータシャフト３２Ａの前端には、遠心ファンであるファン３２Ｂとピニオンギヤ３２Ｃとが同軸一体回転するように装着されると共にベアリング３２Ｄが装着されており、ロータシャフト３２Ａは後述の枠体４Ａに支承されている。またロータシャフト３２Ａの後端にはベアリング３２Ｅが装着され、ロータシャフト３２Ａは胴体部２Ａに支承されている。これらベアリング３２Ｄ、３２Ｅによりロータシャフト３２Ａは回転可能に支持されている。ロータシャフト３２Ａと一体にファン３２Ｂが回転することにより、吸気口２１から胴体部２Ａ内収容空間の冷却通路２ｃを通り、排気口２２へと抜ける気流が形成される。
【００３３】
回路基板であるモータ駆動回路装置３３は、ステータ３１の後方に配置されてステータ３１に固定されており、複数のスイッチング素子を備えている。
【００３４】
胴体部２Ａ内においてモータ３の前側にはギヤ機構４が配置されている。ギヤ機構４は、ピニオンギヤ３２Ｃを太陽ギヤとする遊星歯車機構であり、枠体４Ａを外殻としてハウジング２に装着されており、スピンドル４１と、リングギヤ４２と、複数の遊星ギヤ４３とから構成されている。スピンドル４１は、遊星ギヤ４３を複数支承する遊星キャリアであり、その前端で後述のアンビル５２を同軸回転可能に支承し、その後端で枠体４Ａにベアリング４Ｂを介して回転可能に支承されている。スピンドル４１において後端近傍位置には、遊星ギヤ４３を支承すると共に、後述の第一スプリング５４Ａを受ける鍔部４１Ａが設けられている。またスピンドル４１には、後述のハンマ５３が前後方向へと移動可能に環装されると共に、軸方向に対して斜めに延びる一対の溝４１ａ、４１ａが形成されており、この溝４１ａ内にそれぞれボール４１Ｂ、４１Ｂが挿入され、このボール４１Ｂ、４１Ｂによりハンマ５３と接続されている。
【００３５】
リングギヤ４２は、スピンドル４１外周に配置されて枠体４Ａに回転不能に固定されている。複数の遊星ギヤ４３はそれぞれスピンドル４１に対して回転可能にスピンドル４１に支承され、リングギヤ４２に噛合すると共にピニオンギヤ３２Ｃに噛合している。上記構成により、ピニオンギヤ３２Ｃの回転が減速されてスピンドル４１に伝達される。
【００３６】
インパクト機構５は主に、ハンマケース５１と、アンビル５２と、ハンマ５３と、第一スプリング５４Ａとから主に構成されている。ハンマケース５１は、前端が窄まった円筒状を成しており後端部分でハウジング２の胴体部２Ａにモータ３と同軸的に接続され、前端部分にアンビル５２を回転可能に支承する軸受５１Ａを有している。
【００３７】
アンビル５２は、前後方向に延びる円柱状に構成され、軸受５１Ａによってハンマケース５１に回転可能に支承されると共に、後端に形成された穿孔５２ａ内にスピンドル４１の先端部分が隙間嵌めされてスピンドル４１に回転可能に支承されている。アンビル５２の前端部分には、図示せぬソケットが装着される先端工具装着部５２Ａが設けられている。先端工具装着部５２Ａは、アンビル５２の前端に形成された装着孔５２ｂ内に突出可能な複数のボール５２Ｃと、バネにより後方に付勢されると共に、後方に付勢された状態でボール５２Ｃと当接してボール５２Ｃを装着孔５２ｂ内に突出させる操作部５２Ｄとから主に構成されている。またアンビル５２の後端には、半径方向かつ相反する方向にそれぞれ延びる一対の被係合部である羽根部５２Ｅ、５２Ｅが一体に設けられている。
【００３８】
ハンマ５３は、スピンドル４１に環装される貫通孔５３ａが形成された筒状に構成されている。ハンマ５３の前端には、一対の係合部であり羽根部５２Ｅ、５２Ｅとそれぞれ係合可能な爪部５３Ａ、５３Ａが設けられている。爪部５３Ａ、５３Ａは、ハンマ５３の前端から前側に突出し、それぞれ軸周りに１８０°離れた位置に配置されており、軸周りに対称な形状に形成されている。この爪部５３Ａ、５３Ａの周方向と交差する側面は爪部５３Ａが先細りするように斜めに構成されている。よってアンビル５２に対してハンマ５３に負荷がかかった場合には、この側面に沿ってアンビル５２がハンマ５３に対して相対的に前側へと移動することにより、羽根部５２Ｅ、５２Ｅが爪部５３Ａ、５３Ａを乗り越え、アンビル５２に対してハンマ５３が回転することができる。実際の作業時には、アンビル５２がハウジング２に対して前側へと移動することが不能であるため、アンビル５２に対してハンマ５３が後退することにより、同様に羽根部５２Ｅ、５２Ｅが爪部５３Ａ、５３Ａを乗り越えてアンビル５２に対してハンマ５３が回転することができる。
【００３９】
ハンマ５３において貫通孔５３ａ内表面には、一対のボール４１Ｂ、４１Ｂがそれぞれ係合する前後方向に延びる溝５３ｂ、５３ｂが形成されている。この溝５３ｂ、５３ｂと、溝４１ａ、４１ａとにそれぞれボール４１Ｂ、４１Ｂが係合することにより、スピンドル４１に対してハンマ５３が同軸一体回転可能になる。またハンマ５３の後端側には、第一スプリング５４Ａを受ける受部５３ｃが貫通孔５３ａを画成する壁回りに一連に形成されている。
【００４０】
第一スプリング５４Ａはワッシャを介してスピンドル４１の鍔部４１Ａに担持されている。スピンドル４１の鍔部４１Ａより前端部分は、第一スプリング５４Ａと平行に前方へ伸びている。第一スプリング５４Ａは、受部５３ｃに挿入されてハンマ５３をスピンドル４１に対して軸方向かつ前側方向へ付勢している。よって第一スプリング５４Ａの付勢方向は軸方向かつ前側方向に一致する。第一スプリング５４Ａがハンマ５３を前側へと付勢することにより、ハンマ５３の爪部５３Ａ、５３Ａがアンビル５２の羽根部５２Ｅ、５２Ｅと係合することができる。
【００４１】
また上述の負荷時においてハンマ５３がアンビル５２に対して後退した際にも、羽根部５２Ｅ、５２Ｅが爪部５３Ａ、５３Ａを乗り越えたと同時に第一スプリング５４Ａにより、ハンマ５３が前側であるアンビル５２側へと移動し、爪部５３Ａ、５３Ａと羽根部５２Ｅ、５２Ｅとが当接する。このようにハンマ５３がアンビル５２に対して回転し、爪部５３Ａ、５３Ａが羽根部５２Ｅ、５２Ｅと当接することにより、アンビル５２に回転方向の打撃力が加えられる。
【００４２】
カバー７０が設けられているため、カバー７０の外部からカバー７０とハウジング２の外面とで囲まれる空間内に第１貫通孔７０ｂを通して水や異物が浸入したときに、図４、図５の矢印Ａに示すようにこれらはハウジング２に衝突し、ハウジング２の排気口２２からハウジング２内部へ浸入することを防止することができる。カバー７０とハウジング２の外面とで囲まれる空間内に侵入した水や異物は、その後ハウジング２の外面に沿って重力により落下し、第２貫通孔７０ｃからカバー７０外部へと排出される。
【００４３】
また、第１貫通孔７０ｂと第２貫通孔７０ｃとが形成されているため、図４の矢印Ｂに示すように流れる空気の流路面積を十分に確保することができ、排気口２２から排出される空気の流れを阻害することを防止できる。
【００４４】
また、棒状をしたピン等が第１貫通孔７０ｂ、第２貫通孔７０ｃから挿入された場合であっても、第１貫通孔７０ｂ、第２貫通孔７０ｃと排気口２２との位置関係や、これらの大きさはＪＩＳ  Ｃ  ０９２０に定められるＩＰ規格のＩＰ４Ｘに基づくため、φ１．０以上のピンであれば、ハウジング２内に挿入されることを阻止することができ、ピン等によりファンの回転を阻害することを防止することができる。
【００４５】
また、第２貫通孔７０ｃはカバー７０の前端部と下端部と上端部とに形成されているため、先端工具によりねじ締等の作業を行っているときに、第１貫通孔７０ｂから第２貫通孔７０ｃへと向かう方向を重量の方向に略一致させることができ、第１貫通孔７０ｂからカバー７０とハウジング２とにより囲まれた空間に流入した雨水や異物を、重力を利用して第２貫通孔７０ｃから容易に排出することができる。
【００４６】
また、カバー７０はハウジング２に対して着脱可能であるため、異物がハウジング２とカバー７０との間に留まった場合であっても、カバー７０をハウジング２から取り外すことにより、容易に当該異物を取り除くことができる。
【００４７】
本発明による電動工具は上述の実施の形態に限定されず、特許請求の範囲に記載された範囲で種々の改良や変形が可能である。例えば、本実施の形態では、排気口２２を覆うようにカバー７０が設けられたが、これに限定されず、吸気口を覆うようにカバーが設けられてもよい。
【００４８】
また、カバーは本実施の形態の形状、構成に限定されない。例えば、図６に示すように、カバー１７０の表面であってハウジング２に対向するハウジング対向面１７０Ｅに、凸部１７６を設けてもよい。凸部１７６は、ハウジング対向面１７０Ｅの一部であって排気口２２に対向する位置に設けられている。凸部１７６は、前後方向に延びる仮想直接と上下方向に延びる仮想直線とを含む面で切った断面が、略山形状をなしており、突出端とハウジング対向面１７０Ｅとを結ぶ凸部１７６の外面が、図６に示す断面視で、突出端とハウジング対向面１７０Ｅとを滑らかに結び扇の勾配を有する曲線となるような曲面１７６Ａにより構成されている。
【００４９】
このため、カバーが流入口を覆う構成の場合には、凸部１７６の外面が流入口へ流入する空気をガイドすることができ、カバー１７０が排気口２２を覆う構成の場合には、図６の矢印Ｂで示すように、凸部１７６の外面が排気口２２から流出する空気をガイドすることができる。このため、空気がカバー１７０とハウジング２とにより囲まれる空間内で滞ることを防止することができる。
【００５０】
また、カバーにより覆われる排気口２２、流入口の周りに防護壁２Ｃが設けられた構成としてもよい。具体的には、例えば、図７に示すように、排気口２２は、前後方向に指向する長穴が、上下方向一列に７つ配置されて形成された構成をなしているが、防護壁２Ｃはこの７つの排気口２２全体を取り囲むように、ハウジング２と一体で成形されハウジング２の外表面から突出して設けられる。突出量はカバー２７０のハウジング対向面１７０Ｅには至らない程度であるため、排気口２２からの空気の流れを阻害することはほとんどないが、図９の矢印Ａで示すように、カバー２７０とハウジング２とにより囲まれる空間内に入った異物や雨水等がハウジング２の外表面をつたって排気口２２からハウジング２内部へ入ることを防止することができる。また、ハウジング２と一体で防護壁２Ｃが成形されて構成されているため、強度の高い防護壁２Ｃとすることができる。
【００５１】
また、防護壁はハウジングと一体で成形される構成に限定されない。例えば、図９に示すように、防護壁２７０Ｆはカバーと一体で成形されてもよい。このようにすることで、防護壁２７０Ｆに係る部品点数の増加を防ぐことができる。また、カバーの成形を容易とすることができる。
【産業上の利用可能性】
【００５２】
本発明の電動工具は、上述したインパクトドライバに限定されず、モータ及びファンを備え、ハウジングに吸気口や排気口が形成されている電動工具一般に広く利用することができる。
【符号の説明】
【００５３】
１：インパクトドライバ  ２：ハウジング  ２Ｃ：防護壁  ３：モータ  ２１：吸気口  ２２：排気口  ３２Ｂ：ファン  ７０、１７０、２７０：カバー  ７０ｂ：第１貫通孔  ７０ｃ：第２貫通孔  １７０Ｅ：ハウジング対向面  １７６：凸部  ２７０Ｆ：防護壁
【図１】
2013075351.tif 000003
【図２】
2013075351.tif 000004
【図３】
2013075351.tif 000005
【図４】
2013075351.tif 000006
【図５】
2013075351.tif 000007
【図６】
2013075351.tif 000008
【図７】
2013075351.tif 000009
【図８】
2013075351.tif 000010
【図９】
2013075351.tif 000011